(57)【特許請求の範囲】
【請求項１】
上下に開閉可能な上下型（Ａ）と、該上下型（Ａ）に設けられた、光テープ心線を挟持するように構成される高強度・高弾性のプラスチック材製の糸状又は細いテープ状物からなる上下２個のテープ材切裂き部（Ｂ）と、該テープ材切裂き部（Ｂ）の外側に配置されたテープ材排出部（Ｃ）と、該テープ材切裂き部（Ｂ）の後方近傍に切裂かれていない光テープ心線をガイドするテープ心線ガイド部（Ｄ）を設けた光テープ心線の一括被覆除去工具であって、
前記上下のテープ材切裂き部（Ｂ）が光テープ心線の挟持時に交叉するように、上型の上方支持点が上方テープ材切裂き部と下方テープ材切裂き部とが交叉する点より下側に且つ下型の下方支持点が下方テープ材切裂き部と上方テープ材切裂き部とが交叉する点より上側に位置するように構成され、更に前記テープ材切裂き部（Ｂ）の張力を調整する機構が設けられていることを特徴とする、光テープ心線の一括被覆除去工具。
【請求項２】
（ｉ）少なくとも光テープ心線端末部近傍の上下面のテープ被覆を夫々分離する第１工程、（ｉｉ）請求項１記載の光テープ心線の一括被覆除去工具を用いて、分離された該光テープ心線端末部を該テープ材切裂き部（Ｂ）間に挟み込む第２工程、（ｉｉｉ）光テープ心線を軸方向に移動させてテープ被覆先端を該テープ材切裂き部（Ｂ）に突き当てる第３工程、（ｉｖ）該一括被覆除去工具を相対的に光ファイバの長手方向に移動させて分離したテープ被覆を剥離し、テープ被覆部がテープ材排出部（Ｃ）から排出される第４工程からなり、しかも、第１工程において光テープ心線のテープ被覆を剥離する際に、その端末部のテープ被覆を除去しないことを特徴とする、光テープ心線の一括被覆除去方法。
【発明の詳細な説明】
【０００１】
【発明の属する技術分野】
本発明は、複数の光ファイバ心線を並列させて一括被覆を施した光テープ心線の一括被覆を除去するために使用する工具及び一括被覆の除去方法に関する。
【０００２】
【従来の技術】
光ケーブルでは、図１０に示す断面構造を有する光テープ心線が光ケーブルの主要部材として多量に使用されている。
図１０は、光テープ心線の断面構造を示す模式図である。
図１０において、２１は光ファイバ、２２は単心被覆、２３は光ファイバ心線、２４は一括被覆、２５は光テープ心線である。
光ファイバ２１は石英等のガラスを主成分とするもので、光ファイバ２１上に紫外線硬化型樹脂等からなる単心被覆２２が施されて光ファイバ心線２３を構成する。また、複数の光ファイバ心線２３を並列してそれらを一体化するように外側には紫外線硬化型樹脂等からなる一括被覆２４を設けて光テープ心線２５を構成している。なお、光テープ心線内の光テープ心線の本数は何本でも良い。
【０００３】
また、光テープ心線は、光テープ心線を４本有する場合で、断面での厚さが０．４ｍｍ程度、幅が１．１ｍｍ程度と極めて薄くて細いテープ状の物体であり、内部の光ファイバ心線を損傷したり、光ファイバの伝送特性を悪化させたりしないように、曲径半径３０ｍｍ以下の曲げを避ける等、取扱いには細心の注意が必要である。
光テープ心線の端部又は中間部においては、光テープ心線から内部の光ファイバ心線を取出して分岐等を行うとする場合、一括被覆を除去する必要がある。
一括被覆の除去に当たっては、ナイフ等を使って慎重に一括被覆を切り裂く方法、光テープ心線の上に接着剤で別の強度の大きいテープを貼り付けてそのテープを引張って一括被覆を剥ぎ取る方法、カンナ状の工具を使って一括被覆を片面ずつ削り取る方法がある。
【０００４】
【発明が解決しようとする課題】
ナイフ又はカンナ状の工具を使用する方法は、刃物を使っているので、刃物の刃先の取扱いに細心の注意を払わないと、光ファイバ心線を刃先で傷つけるということが起こり易い。特に一括被覆を除去する長さが数十ｃｍといった長いものになると、その危険が大きい。
また、テープを一括被覆の上に貼り付けて剥ぎ取る方法は刃物を使わないが、貼り付けたテープを光テープ心線から離間する方向に引張るので、その時に光テープ心線は曲げられ、光ファイバ心線に極端な曲げを与えて、光ファイバの伝送特性を悪化させることがある。
本発明は、上記の従来技術による問題点を解消した光テープ心線の一括被覆除去工具、及び一括被覆の除去方法を提供するものである。
【０００５】
【課題を解決するための手段】
本発明者は上記課題について種々検討した結果、一括被覆除去工具として、上下に開閉可能な上下型（Ａ）と上下２個の特定のテープ材切裂き部（Ｂ）とテープ材排出部（Ｃ）とテープ材ガイド部（Ｄ）とを組合せて設け且つ種々の工夫を凝らすことにより、該光テープ心線に傷を付けることなく、且つ光ファイバの伝送特性を悪化させることなく光テープ心線の一括被覆を容易に除去できることを見出し、本発明を完成するに至った。
即ち、本発明は：
（１）  上下に開閉可能な上下型（Ａ）と、該上下型（Ａ）に設けられた、光テープ心線を挟持するように構成される高強度・高弾性のプラスチック材製の糸状又は細いテープ状物からなる上下２個のテープ材切裂き部（Ｂ）と、該テープ材切裂き部（Ｂ）の外側に配置されたテープ材排出部（Ｃ）と、該テープ材切裂き部（Ｂ）の後方近傍に切裂かれていない光テープ心線をガイドするテープ心線ガイド部（Ｄ）を設けた光テープ心線の一括被覆除去工具であって、
前記上下のテープ材切裂き部（Ｂ）が光テープ心線の挟持時に交叉するように、上型の上方支持点が上方テープ材切裂き部と下方テープ材切裂き部とが交叉する点より下側に且つ下型の下方支持点が下方テープ材切裂き部と上方テープ材切裂き部とが交叉する点より上側に位置するように構成され、更に前記テープ材切裂き部（Ｂ）の張力を調整する機構が設けられている、光テープ心線の一括被覆除去工具を提供する。また、
（２）  （ｉ）少なくとも光テープ心線端末部近傍の上下面のテープ被覆を夫々分離する第１工程、（ｉｉ）請求項１記載の光テープ心線の一括被覆除去工具を用いて、分離された該光テープ心線端末部を該テープ材切裂き部（Ｂ）間に挟み込む第２工程、（ｉｉｉ）光テープ心線を軸方向に移動させてテープ被覆先端を該テープ材切裂き部（Ｂ）に突き当てる第３工程、（ｉｖ）該一括被覆除去工具を相対的に光ファイバの長手方向に移動させて分離したテープ被覆を剥離し、テープ被覆部がテープ材排出部（Ｃ）から排出される第４工程からなり、
しかも、第１工程において光テープ心線のテープ被覆を剥離する際に、その端末部のテープ被覆を除去しない、光テープ心線の一括被覆除去方法を提供する。
【０００６】
以下、本発明を図面に基いて詳細に説明する。
図１は、本発明の光テープ心線の一括被覆除去工具の好適な構造を説明する模式図である。 (イ)は、本発明の一括被覆除去工具の上下に開閉可能な上下型(A) に上下２個のテープ材切裂き部(B) を装着する前の構造を示し、 (ロ)は一括被覆除去工具中の上下型(A) にテープ材切裂き部(A) として剥離糸を交叉状に装着した状態を説明する。
図２は、本発明の一括被覆除去方法の作業手順を説明する模式図である。
(イ)は、テープ被覆を予め刃等で剥離した光テープ心線をテープ心線ガイド部(D) に配置した状態を示し、 (ロ)は上下型(A) を閉めて光テープ心線をテープ材排出部(C) から押出す状態を示し、 (ハ)は、テープ材排出部(C) における押出された状態の光テープ心線の端部の分離状態を示し、 (ニ)は光テープ心線を人手で押出した状態を示し、 (ホ)はテープ被覆の分離が完了した光テープ心線のテープ被覆の分離状態を示す斜視図である。
【０００７】
図３は、一括被覆除去における光テープ心線の一部剥離の準備段階を説明する模式図である。
(イ)は一括被覆除去の対象となる光テープ心線を示し、 (ロ)は光テープ心線のテープ被覆に上下刃で切り目をつけて押す状態を示し、 (ハ)、 (ニ)は光テープ心線の端末部を残してテープ被覆を部分的に分離した状態を示し、特に (ハ)は上下同位置から、また (ニ)は上下でずれた位置からテープ被覆に上下刃で切れ目を入れた場合を夫々示す。
図４は、光テープ心線の剥離準備段階において、光テープ心線の端末部を残してテープ被覆を部分的に分離した光テープ心線を剥離糸で挟んだ状態の斜視図を示す。
図５−(イ) は、テープ材切裂き部(B) によるテープ被覆の剥離・除去過程を説明する模式図であり、 (ロ)は、剥離したテープ心線ガイド部(D) が後方に離れ過ぎて光テープ心線が曲がってしまった状態を示す。
図６は、テープ被覆の剥離終了後の光テープ心線の状態を説明する概略図である。
(イ)は上下刃により切り目を付けて剥離したテープ被覆剥離時の状態を示し、 (ロ)は剥離したテープ被覆を除去した状態の光テープ心線を示す。
【０００８】
図７は、光テープ心線のテープ被覆を分離する順序を説明する斜視図である。
(イ)は光テープ心線の断面を示し、 (ロ)は引き裂く位置を示し、 (ハ)は分離状態を説明する。
図８は、一括被覆除去工具の上下型(A) に上下２個のテープ材切裂き部(B) として剥離糸を配置し、上下型(A) の適切な箇所に噛み合い用上下方嵌合部を設けた状態を説明する斜視図である。 (イ)は上型を、 (ロ)は下型を示す。
図９は、弛ませた上下２本の剥離糸(B) を互いに交叉状に配置した上下型(A) を閉めるに至る状態を説明する断面模式図である。
(イ)は互いに対設した上下型(A) を示し、 (ロ)は両型を閉めて互いに嵌合部で部分的に噛み合う状態を示し、 (ハ)は (ロ)を横から見た状態を示し、 (ニ)は剥離糸を交叉させない場合に剥離糸が前後にずれた状態を示す。
また、 (ホ)〜 (ト)は剥離糸の張力を調整する方法を示し、 (ト)は、両型を閉じた後に、張力調整器具（図示されない）により剥離糸を引張った状態を示す。
【０００９】
図１〜９において、１は光テープ心線、２は単心（光ファイバ）線、３、３’は上下方テープ材切裂き部、４はテープ材曲げ部、５は（一括）テープ被覆、５’はテープ被覆側部、７は上型、８は下型、９はテープ材排出部、１０、１０’は上下テープ心線ガイド部、１２、１２’は上下方剥離糸、１３、１３’は上下刃、１４は人手、１７は光テープ心線の端末部、１８、１８’は上下方嵌合部、１９、１９’は上下方支持点である。
【００１０】
(A) 一括被覆除去工具の構造（請求項１）
(i) 本発明の一括被覆除去工具は、図１に示されるように、上下に開閉可能な上下型(A) ７、８と、該上下型(A) に設けられた、光テープ心線を挟持するように構成される上下２個の剥離糸１２、１２’のようなテープ材切裂き部(B) と、該テープ材切裂き部(B) の外側に配置されたテープ材排出部(C) ９と、該テープ材切裂き部(B) の後方近傍に切裂かれていない光テープ心線をガイドする上下テープ心線ガイド部(D) １０、１０’から構成される。
この工具の基本的な光テープ心線の切り裂きの原理は、図５− (イ)に示される通りであり、予め上下のテープ被覆の一部を剥離させた光テープ心線１のテープ被覆５、５’と単心線２との間に上下方テープ材切裂き部(B) ３、３’を挿入し、テープ材切裂き部(B) ３、３’がテープ被覆５、５’と単心線２の間に食い込むようにテープ材切裂き部(B) ３、３’を動かすことでテープ被覆５、５’を裂いていく。
【００１１】
この際に、テープ材切裂き部(B) ３、３’と上下テープ心線ガイド部(D) １０、１０’が離れていると、図５− (ロ)に示すように、座屈や上下引張力のアンバランスなどで光テープ心線１が曲がってしまう可能性があるため、テープ材切裂き部(A) ３、３’の後方近傍にテープ心線ガイド部(D) １０、１０’を設ける構造としている。
また、これら部品、即ちテープ材切裂き部(B) とテープ心線ガイド部(D) とは、上下型(A) ７、８に設けられていて、上下に開閉可能なように構成されていることにより、光テープ心線の工具内への装着作業を簡便に行うことができるようになる。
即ち、図１に示されるように、蝶番のようなヒンジ機構により、上下に開閉自在に構成された上下型７、８にこれらの部品を設ける。
【００１２】
本発明の一括被覆除去工具の実施例の詳細を、更に説明する。
(ii)テープ材切裂き部(B)
テープ被覆の樹脂は、切れるが光ファイバに傷を付けないものなら特に制限されないが、例えば高強度・高弾性を有するポリエステル、ナイロン等のプラスチック材料からなる糸状又は細いテープ状物を用いる必要があり、滑りや表面形状の観点から特にナイロン糸が好ましい。
また、テープ材切裂き部(B) をテープ被覆５、５’と光テープ心線２３の間に挿入するためには、テープ材切裂き部(B) を光テープ心線に常に押しつけておく必要がある。
図９−(イ) 、 (ロ)に示すように、糸状の上下テープ材切裂き部(B) （以下、上方剥離糸、下方剥離糸１２、１２’と言う）の場合、剥離糸を光テープ心線１に押し付けるには、略Ｖ字状に剥離糸を曲げて引張るのが効果的である。
【００１３】
しかし、上下方剥離糸１２、１２’を夫々Ｖ字状になるように構成するだけでは、図９−（ニ）に示されるように、上下方剥離糸１２、１２’の位置が前後にずれてしまい、剥離時に光ファイバが曲がる恐れがある。
そこで、光テープ心線に対する上下方剥離糸の長手方向での相対位置をずれないように、光テープ心線を挟持する際に略Ｖ字状の頂点で上下方剥離糸を交叉させておくことがことが必要である。
上下方剥離糸の構成例を図９に示す。
上下方剥離糸〔上下のテープ材切裂き部(B) 〕が光テープ心線の挟持時に交叉するように、上型の上方支持点１９が上方テープ材切裂き部と下方テープ材切裂き部とが交叉する点より下側に且つ下型の下方支持点１９’が下方テープ材切裂き部と上方テープ材切裂き部とが交叉する点より上側に位置するように構成される必要がある。
即ち、図９−（ロ）に示されるように、各剥離糸が略Ｖ字状になるように構成するためには、上型７の上方剥離糸１２の上方支持点１９が上方剥離糸１２と下方剥離糸１２’とが交叉する点より下側に、また下型８の下方剥離糸１２’の下方支持点１９’が下方剥離糸１２’と上方剥離糸１２とが交叉する点より上側に位置するように構成する必要がある。
本実施例では、上型７の上方剥離糸１２の上方支持点１９が下型８に入り込むように、図８−（イ）に示すように上型７に突起、上方嵌合部１８を設け、かつ図８−（ロ）に示すように下型８に上型７の突起、上方嵌合部１８が入る空間、下方嵌合部１８’を設けることで、略Ｖ字状の形状を実現している。
【００１４】
また、上方剥離糸１２の上方支持点１９、下方剥離糸１２’の下方支持点１９’を互い違いに構成することで、上下方剥離糸１２、１２’の交叉を実現している。
なお、上下方剥離糸１２、１２’の構成においては、下型７の下方剥離糸１２’の下方支持点１９’が上型８に入り込む構成でも構わない。
更に、この剥離糸交叉構造の利点として、上下型７、８を閉めた状態で上下の剥離糸１２、１２’が適度な張力になるような調整が容易である点がある。
即ち、図−９ (ホ)、 (ヘ)、 (ト)に示すように、上下型７、８を閉めて剥離糸を交叉させた状態で、図示しない張力調整器具により上下方剥離糸１２、１２’の少なくとも一方を引張ることにより、剥離糸を緊張させることができる。
【００１５】
(iii) 一括被覆除去工具の細部
本発明の一括被覆除去工具は、例えば高さ１０ｍｍ×幅１０ｍｍ×長さ３０ｍｍ程度の大きさで実現でき、該工具の材質としては、真鍮、スチール、アルミニウム等の金属の他に、ポリフェニレンサルファイド（ＰＰＳ）、アクリロニトリル−ブタジエン−スチレン樹脂（ＡＢＳ樹脂）、ポリブチレンテレフタレート（ＰＢＴ）等のプラスチック成形樹脂等を使用できる。
【００１６】
(B) 一括被覆除去方法（請求項２）
本発明の一括被覆除去方法は、(i) 少なくとも光テープ心線端末部１７近傍の上下面のテープ被覆５、５’を夫々分離する第１工程（図３）、(ii)（必須の要件である）請求項１に記載の光テープ心線の一括被覆除去工具を用いて、分離された該光テープ心線端末部を該テープ材切裂き部(B) １２、１２’間に挟み込む第２工程（図４）、(iii) 光テープ心線を軸方向に移動させて分離したテープ被覆５、５’先端を該テープ材切裂き部(B) ３、３’に突き当てる第３工程（図５− (イ)）、(iv)更に光テープ心線１を該一括被覆除去工具内に押し込んで、テープ被覆部がテープ材排出部(C) ９から排出される第４工程（図５− (イ)）からなる。
この一括被覆除去の流れを図２に示す。
【００１７】
(i) 端末部近傍のテープ被覆除去（第１工程）を図３に示す。
本発明の一括被覆除去工具によりテープ被覆除去を行うに当たり、図３− (ロ)に示されるように、予め光テープ心線端末部１７近傍の上下テープ被覆５、５’を夫々上下に配した刃物１３、１３’で削ることにより、光テープ心線端末部１７近傍のテープ被覆５、５’を剥離させておく。この際、図３− (ハ)、 (ニ)に示されるように、光テープ心線の先端部にテープ被覆を除去しない部分、端末部１７を残しておくことが必要である。
テープ被覆の切り込み開始位置は、上下同位置であっても（図３− (ハ)）、長手方向にずれていても（図３− (ニ)）構わない。
【００１８】
(ii)光テープ心線端末部のテープ材切裂き部(B) 間への挟み込み（第２工程）を図４に示す。
一括被覆除去工具上のテープ材切裂き部(B) （上下方剥離糸１２、１２’）間に、テープ被覆５、５’を分離していない光テープ心線端末部を挟み込む。
【００１９】
(iii) 単心線とテープ被覆間へのテープ材切裂き部の挿入（第３工程）及び（iv) テープ被覆の剥離（第４工程）を図５−(イ) に示す。
光テープ心線端末部１７を挟む方向に張力を受けているテープ材切裂き部(B) ３、３’が、光テープ心線１に対して相対的に移動することによって分離したテープ被覆５、５’の下に入り込む。
更に、テープ材切裂き部(B) ３、３’を分離する必要な長さだけ相対的に移動させることによって、テープ材切裂き部(B) が光テープ心線１のテープ被覆５、５’を切り裂いてテープ材を剥離させることができ、剥離されたテープ被覆５、５’はテープ材排出部(C) ９から排出される。
この切り裂きによりテープ材剥離のメカニズムを図７に示す。
上下テープ材切裂き部(B) ３、３’がテープ被覆５、５’を切り裂いていくことにより（図７− (ロ)）、光テープ心線１は上下テープ被覆５、５’と左右のテープ被覆側部５”と光ファイバ心線（単心線２）に分離される（図７− (ハ)）。
【００２０】
(iv)剥離後の光テープ心線の状態を図６に示す。
この後、上下テープ被覆５、５’及び左右テープ被覆５”を分離際で切断することにより、単心線２の露出作業が完了する。この際に、端末のテープ材を除去しない部分をそのまま残しておくことは、単心線を取り出す際の色や心線等の識別を、実際に心線を切断する端末部分で行うことができる点でも有効である。
【００２１】
【発明の効果】
本発明の光テープ心線の一括被覆除去工具は、簡単な構造にも係わらず、光テープ心線の一括被覆を長くかつ容易に除去できる。
また、光テープ心線の端末部を分離する時以外はナイフ等の刃を使わないので、光テープ心線を傷付ける心配が少ない。
また、テープ材切り裂き部の後方近傍にテープ心線ガイド部(C) を設けているため、光テープ心線が一括被覆除去作業中に不用意に曲がるのを防ぐことができる。
【図面の簡単な説明】
【図１】本発明の光テープ心線の一括被覆除去工具の好適な構造を説明する模式図である。 (イ)は、本発明の一括被覆除去工具にテープ材切裂き部(B) を装着する前の構造を示し、 (ロ)は一括被覆除去工具中の上下にテープ材切裂き部(B) として剥離糸を交叉状に装着した状態を説明する。
【図２】本発明の一括被覆除去方法の作業手順を説明する模式図である。 (イ)は、テープ被覆を予め刃等で剥離した光テープ心線をテープ心線ガイド部(D) に配置した状態を示し、 (ロ)は上下型(A) を閉めて光テープ心線をテープ材排出部(C) から押出す状態を示し、 (ハ)は、テープ材排出部(C) における押出された状態の光テープ心線の端部の分離状態を示し、 (ニ)は光テープ心線を人手で押出した状態を示し、 (ホ)はテープ被覆の分離が完了した光テープ心線のテープ被覆の分離状態を示す斜視図である。
【図３】一括被覆除去における光テープ心線の一部剥離の準備段階を説明する模式図である。 (イ)は一括被覆除去の対象となる光テープ心線を示し、 (ロ)は光テープ心線のテープ被覆に刃で切り目をつけて押す状態を示し、 (ハ)、 (ニ)は光テープ心線の端末部を残してテープ被覆を部分的に分離した状態を示し、特に (ハ)は上下同位置から、また (ニ)は上下にずれた位置からテープ被覆に切れ目を入れた場合を夫々示す。
【図４】光テープ心線の剥離準備段階において、光テープ心線の端末部を残してテープ被覆を部分的に分離した光テープ心線をテープ材切裂き部(B) 即ち剥離糸で挟んだ状態の斜視図を示す。
【図５】図５−(イ) は、テープ材切裂き部(B) によるテープ被覆の剥離・除去過程を説明する模式図であり、 (ロ)はテープ心線ガイド部(D) が後方に離れ過ぎて光テープ心線が曲がってしまった状態を示す。
【図６】テープ被覆の剥離終了後の光テープ心線の状態を説明する概略図である。 (イ)はテープ被覆剥離時の状態を示し、 (ロ)は剥離したテープ被覆を除去した状態の光テープ心線を示す。
【図７】光テープ心線のテープ被覆を分離する順序を説明する斜視図である。 (イ)は光テープ心線の断面を示し、 (ロ)は引き裂く位置を示し、 (ハ)は分離状態を説明する。
【図８】一括被覆除去工具の上下型にテープ材切裂き部(B) としてテープ材切裂き部(B) 即ち剥離糸を配置し、上下型の適切な箇所に噛み合い用上下方嵌合部を設けた状態を説明する斜視図である。 (イ)は上型を、 (ロ)は下型を示す。
【図９】弛ませた上下２本のテープ材切裂き部(B) 即ち剥離糸を互いに交叉状に配置した上下型(A) を閉めるに至る状態を説明する断面模式図である。 (イ)は互いに対設した上下型(A) を示し、 (ロ)は両型を閉めて互いに嵌合部で部分的に噛み合う状態を示す。また、 (ハ)は (ロ)を横から見た状態を示し、 (ニ)は、剥離糸を交叉させない場合にテープ材切裂き部(B) 即ち剥離糸が前後にずれた状態を示す。また、 (ホ)〜 (ト)は剥離糸の張力を調整する方法を示し、 (ト)は、両型を閉じた後に、張力調整器具（図示されない）により剥離糸を引張った状態を示す。
【図１０】光テープ心線の断面構造を示す模式図である。
【符号の説明】
１  光テープ心線
２  単心（光ファイバ）線
３、３’上下方テープ材切裂き部
４、４’  テープ材曲げ部
５、５’  （一括）テープ被覆
５”テープ被覆側部
７  上型
８  下型
９  テープ材排出部
１０、１０’上下テープ心線ガイド部
１２、１２’  上下方剥離糸
１３、１３’  上下刃
１４  人手
１７  光テープ心線の端末部
１８、１８’  上下方嵌合部
１９、１９’  上下方支持部
２１  光ファイバ
２２  単心被覆
２３  光ファイバ心線
２４  一括被覆
２５  光テープ心線
【図１】
0003672756.tif 000002
【図２】
0003672756.tif 000003
【図３】
0003672756.tif 000004
【図４】
0003672756.tif 000005
【図５】
0003672756.tif 000006
【図６】
0003672756.tif 000007
【図７】
0003672756.tif 000008
【図８】
0003672756.tif 000009
【図９】
0003672756.tif 000010
【図１０】
0003672756.tif 000011